(57)【要約】      （修正有）【課題】排水タンクの満水時の水位を安定させる。【解決手段】排水タンク１３には結露水の水位によって作動するフロート２６を設け、このフロート２６に対向する枠体内部には、検知板３２とスイッチ３０を備え、前記フロート２６から検知板３２側にアーム２９を延出し、このアーム２９が検知板３２を押圧してスイッチ３０を作動することで空気調和機を運転可能にし、排水タンク１３の満水時にはフロート２６が回動することで検知板３２からアーム２９が外れスイッチ３０を解除して空気調和機の運転を停止する機構を備え、前記アーム２９とアーム２９が接触する面の検知板３２の角度を通常運転時よりも満水検知時に大きく設定した。【選択図】図２
2013181704.tif 000002
【特許請求の範囲】
【請求項１】
枠体内に熱交換器と着脱自在の排水タンクを備え、前記熱交換器により生成された結露水を前記排水タンクに貯水する一体型空気調和機に於いて、前記排水タンクには結露水の水位によって作動するフロートを設け、このフロートに対向する枠体内部には、検知板とスイッチを備え、前記フロートから検知板側にアームを延出し、このアームが検知板を押圧してスイッチを作動することで空気調和機を運転可能にし、前記排水タンクの満水時にはフロートが回動することで検知板からアームが外れスイッチを解除して空気調和機の運転を停止する機構を備え、前記アームとアームが接触する面の検知板の角度を通常運転時よりも満水検知時に大きく設定したことを特徴とする一体型空気調和機。
【発明の詳細な説明】
【技術分野】
【０００１】
この発明は、この発明は枠体内に冷凍サイクルと排水タンクを備え、枠体に吸込口と吹出口を設け、吸込空気を除湿し乾燥空気を吹き出す一体型空気調和機に関するものである。
【背景技術】
【０００２】
従来の一体型空気調和機の一例について図面を参照しつつ説明する。図６は、この従来の一体型空気調和機の構成を示す断面図であり、図中、ａは一体型空気調和機、ｂはマイクロスイッチ、ｃはこのマイクロスイッチｂのレバー、ｄはこのレバーｃと係合する検知板で軸ｅにより回動可能に支持されている。ｆは取外し可能な排水タンク、ｇはフロートで排水タンクｆに支点ｈを軸として回動自在に取り付けられている。ｉは検知板ｄと係合するアーム、ｊは排水タンク収納部、ｋは熱交換器である。
【０００３】
作動としては、まず取外してあった排水タンクｆを排水タンク収納部ｋに装填すると、フロートｇのアームｉが検知板ｄを押し、これと係合しているマイクロスイッチｂをオンにして一体型空気調和機ａは運転可能な状態となる。次にこれを運転させると熱交換器ｋによって凝縮された結露水が排水タンクｆに溜り初め、満水近くになるとフロートｇが浮き上がりそのアームｉの先端部は検知板ｄの上を滑って外れ、検知板ｄの下端は図面左方向に移動し、マイクロスイッチｂのレバーｃの下端も同方向に移動してマイクロスイッチｂがオフとなり、満水検出状態となってその運転が停止されるようになっていた。（例えば、特許文献１参照）
【先行技術文献】
【特許文献】
【０００４】
【特許文献１】特開平１０−２２０８０８号公報
【発明の概要】
【発明が解決しようとする課題】
【０００５】
この従来の空気調和機は、排水タンクｆに備えたフロートｇのアームｉが検知板ｄに接触する接触面のなめらかさが不足する場合には、満水の検出が遅れる傾向となり排水タンクｆの満水水位が安定せず結露水が溢れる危険があった。
【課題を解決するための手段】
【０００６】
この発明はこの点に着目し上記欠点を解決する為、特にその構成を、枠体内に熱交換器と着脱自在の排水タンクを備え、前記熱交換器により生成された結露水を前記排水タンクに貯水する一体型空気調和機に於いて、前記排水タンクには結露水の水位によって作動するフロートを設け、このフロートに対向する枠体内部には、検知板とスイッチを備え、前記フロートから検知板側にアームを延出し、このアームが検知板を押圧してスイッチを作動することで空気調和機を運転可能にし、前記排水タンクの満水時にはフロートが回動することで検知板からアームが外れスイッチを解除して空気調和機の運転を停止する機構を備え、前記アームとアームが接触する面の検知板の角度を通常運転時よりも満水検知時に大きく設定したものである。
【発明の効果】
【０００７】
この発明によれば、フロートが検知板を介してマイクロスイッチを確実に押せる角度にすることで、排水タンク挿入時の挿入検知を確実にすることができる。
また、満水検知動作時のフロートと検知板の接触角度を大きく変化させることで、フロートが下方に滑りやすく、検知板から確実に外れるようになり、満水の水位を安定させ、確実に満水検知をすることができるものである。
【図面の簡単な説明】
【０００８】
【図１】この発明一実施例の斜視図。
【図２】同縦断面図。
【図３】同横断面図。
【図４】同排水タンクが満水状態の要部断面図。
【図５】同アームが検知板に接触する部分の拡大断面図
【図６】従来例の縦断面図。
【発明を実施するための形態】
【０００９】
次に、この発明に係る一体型空気調和機を図面に示された一実施例で説明する。
１は空気調和機の枠体で、底板２と前面、上面、背面の中央にて係合する右枠３と左枠４にて構成している。前記筐体１内には冷凍サイクルの蒸発器５と凝縮器６と圧縮機７等を備え、前記蒸発器５の下流側には冷風用ファン８を、凝縮器６の下流側には温風用ファン９を設け、前記冷風用ファン８と温風用ファン９を同一の軸にて回転する送風モータ１０を隔壁１１の冷風用ファン８側に固定している。
【００１０】
前記右枠３は右側面の中央から上部にかけて冷風用吸込口１２を備え、この冷風用吸込口１２を吸込空気内の埃を除去するフィルタ（図示せず）で覆っている。前記冷風用吸込口１２の下方には排水タンク１３を着脱するタンク穴１４を設けている。前記排水タンク１３装着時には、排水タンク１３の外表面は右枠３の外表面と同一面に形成されている。前記冷風用吸込口１２の上方には運搬時の手掛用凹部１５が一体に形成されている。
【００１１】
前記左枠４は左側面の中央から上部にかけて温風用吸込口１６を備え、この温風用吸込口１６を冷風用吸込口１２と同様にフィルタで覆っている。また前記右枠３の手掛用凹部１５と対向する位置に同じ形状の凹部１５が一体に形成されている。
【００１２】
前面下部中央の右枠３・左枠４の合わせ面から上方には前パネル１７を備え、この前パネル１７の上部には冷風用吹出口１８を設けている。この冷風用吹出口１８には冷風の左右方向の風向を調整すると共に停止時や除湿運転時に冷風用吹出口１８を閉じる縦ルーバ１９が左右１対設けられ、この縦ルーバ１９に冷風の上下方向の風向を調整する多数の横ルーバ２０が取付けられている。
【００１３】
前記隔壁１１の右側には、冷風用吸込口１２と蒸発器５、冷風用ファン８、冷風用吹出口１８を連通して冷風用送風経路２１を形成し、また、前記隔壁１１の左側には温風用吸込口１６と凝縮器６、温風用ファン９、温風用吹出口２２を連通して温風用送風経路２３を形成している。
前記冷風用吹出口１８の右側の冷風用送風経路２１と、凝縮器６と温風用吸込口１６の間の温風用送風経路２３と連通するバイパス部２４が設けられ、除湿運転時に冷風を凝縮器６へ導いて加熱するものである。
【００１４】
前記縦ルーバ１９は内側と外側の２枚の羽根が略平行に一体に形成され、この２枚の羽根の間に横ルーバ２０が回動自在に設けられ、多数の横ルーバ２０どうしは連接板（図示せず）によって接続されることで、各の横ルーバ２０の角度を一定にするものである。
【００１５】
前記蒸発器５と凝縮器６は熱伝導性良好な多数のアルミウムフィンに銅管が貫通したフィンチューブ式の熱交換器である。
前記底板２上には圧縮機７を備え、この圧縮機７と前記凝縮器６と、キャピラリーチューブ等の膨脹装置（図示せず）と、蒸発器５等を順次冷媒配管で連通し冷凍サイクルを形成している。
前記蒸発器５の下方にはドレンパン（図示せず）を設け、このドレンパンによって蒸発器５で発生した結露水を集め前記排水タンク１３に蓄え、満水時には排水タンク１３を排水タンク収納部２５から取り外して結露水を捨てるものである。
【００１６】
２６は前記排水タンク１３内の後方に設けたフロートで、支点２７を軸として排水タンク１３に回動自在に取り付けられている。このフロート２６は、その支点２７の前方に水によって浮き上がるフロート本体２８を、後方にアーム２９を有しており、更に通常時はその側面に設けた突起（図示せず）が排水タンク１３の壁面に接触して水平位置に保持されている。
【００１７】
前記フロート２６に対向する排水タンク収納部２５後方の枠体１内部には、満水検知用のマイクロスイッチ３０が取り付けられ、このマイクロスイッチ３０をＯＮするためのレバー３１が下方に延びている。前記アーム２９とレバー３１の間には、このレバー３１と係合する検知板３２が上端に設けた軸３３により回動自在に支持されている。
【００１８】
前記検知板３２とアーム２９の接触面の角度は空の排水タンク１３セット時には、アーム２９が検知板３２を確実に押圧できるように直角に近い角度α（この実施例では８０度）で接触し、徐々に水位が上がって満水の水位に近づいた時には、アーム２９が検知板３２からスムーズに外れて満水が検知できるように、検知板３２の下端部分の角度β（この実施例では９０度）を大きくすることで、満水検知時の水位が安定し、排水タンク１３から結露水が溢れるようなことを防止するものである。
【００１９】
満水検知時の作動について説明すれば、取外してあった排水タンク１３を排水タンク収納部２５に装填すると、フロート２６のアーム２９が検知板３２を押し、これと係合しているマイクロスイッチ３０をオンにして一体型空気調和機は運転可能な状態となる。この時アーム２９と検知板３２の接触角度は直角に近い角度αで、確実に検知板３２を押圧することができるものである。
【００２０】
次に、運転を開始して蒸発器５で発生した結露水が徐々に排水タンク１３に溜まり水位が上昇する、満水近くになるとフロート２６が浮き上がりそのアーム２９の先端部は検知板３２の上を滑って外れ、検知板３２の下端は移動し、マイクロスイッチ３０のレバー３１の下端も同方向に移動してマイクロスイッチ３０がオフとなり、満水検出状態となってその運転が停止される。この時アーム２９と検知板３２の下端に近い接触角度は角度αより大きな角度βにすることで、アーム２９が検知板３２からスムーズに外れて満水が検知しやすくなり、満水検知時の水位が安定し、排水タンク１３から結露水が溢れるようなことを防止するものである。
【符号の説明】
【００２１】
１    枠体
５    蒸発器
１３    排水タンク
２５    排水タンク収納部
２６    フロート
２９    アーム
３０    マイクロスイッチ
３１    レバー
３２    検知板
【図１】
2013181704.tif 000003
【図２】
2013181704.tif 000004
【図３】
2013181704.tif 000005
【図４】
2013181704.tif 000006
【図５】
2013181704.tif 000007
【図６】
2013181704.tif 000008